(57)【要約】ネイルケアシステム  本発明は、電動ハンドツールを収納するためのベースハウジングと、ハンドツールと共に使用する少なくとも１つの回転運動アダプターヘッドおよび１つの直線運動アダプターヘッドとを有する自己完結型ネイルケアシステムを提供する。ベースハウジングにはハンドツールが収納されている。ベースハウジングは、ネイルドライヤー、一体化型のマニキュアボウル、そして一体化型の紫外線式および／あるいは他の種類の熱源を有する。
2006504449.tif 000002
【特許請求の範囲】
【請求項１】
ネイルケアシステムであって、
互いと協働して流体を保持するための内部空間を形作る正面壁、側面壁、そして底面を有するマニキュアボウルと、
電力を供給されるハンドツールと、
前記ハンドツールに結合される複数のアダプターヘッドであって、前記複数のアダプターヘッドのうち１つは直線運動アダプターヘッドであって、前記複数のアダプターヘッドのうち別の１つは回転運動アダプターヘッドである、という前記アダプターヘッドと、そして、
アパーチャを有し、前記マニキュアボウルを中に選択的に収容するためのキャビティが前記アパーチャを通って形成され、前記電動ハンドツールと前記複数の運動アダプターヘッドとを収納する収納コンパートメントを有するベースハウジングと、
を有することを特徴とするネイルケアシステム。
【請求項２】
前記収納コンパートメントの少なくとも上部を覆うための蓋をさらに有すること、
を特徴とする請求項１に記載のネイルケアシステム。
【請求項３】
前記蓋は少なくとも部分的に半透明であること、
を特徴とする請求項２に記載のネイルケアシステム。
【請求項４】
前記蓋は前記ベースハウジングにヒンジ留めの形で接続されていること、
を特徴とする請求項２に記載のネイルケアシステム。
【請求項５】
前記マニキュアボウルの前記底面は、手と指とを支えるように輪郭付けられていること、
を特徴とする請求項１に記載のネイルケアシステム。
【請求項６】
前記マニキュアボウルは、選択的に前記キャビティに収容され、その収容の様態は、前記マニキュアボウルの前記前面壁が前記ベースハウジングの外側表面と同一平面になり、その位置は前記前面壁と前記ベースハウジングの前記外側表面との接合部分の位置である、ということ
を特徴とする請求項１に記載のネイルケアシステム。
【請求項７】
前記ベースハウジングの内部空間に配置され、前記キャビティ内で空気を循環させるファンをさらに有すること、
を特徴とする請求項１に記載のネイルケアシステム。
【請求項８】
前記ファンによって循環される前記空気を暖めるヒーターをさらに有すること、
を特徴とする請求項７に記載のネイルケアシステム。
【請求項９】
紫外線または赤外線のエネルギーをそれぞれ前記キャビティに供給する紫外線または赤外線の放射源の少なくとも１つをさらに有すること、
を特徴とする請求項１に記載のネイルケアシステム。
【請求項１０】
前記ハンドツールはバッテリーで動作すること、
を特徴とする請求項１に記載のネイルケアシステム。
【請求項１１】
前記ハンドツールは、前記ハンドツールの上または中に配置されて、前記ハンドツールの作業環境を照らす光源を有すること、
を特徴とする請求項１に記載のネイルケアシステム。
【請求項１２】
前記ハンドツールは、前記ハンドツールに結合された前記複数のアダプターヘッドのうち１つが動作する速度を制御するコントローラを有すること、
を特徴とする請求項１に記載のネイルケアシステム。
【請求項１３】
前記ハンドツールは、前記複数のアダプターヘッドのうち線形運動を有しネイルケア付属品に線形運動を与えるものと結合し、そして、前記複数のアダプターヘッドのうち回転運動を有しネイルケア付属品に回転運動を与えるもう１つのものと結合していること、
を特徴とする請求項１に記載のネイルケアシステム。
【発明の詳細な説明】
【技術分野】
【０００１】
本発明はネイルケアに関する。さらに詳しく言えば、本発明は小型ハウジングを有するネイルケアシステムに関する。本発明のハウジングは、取り外し可能なトレイを有し、都合のよいことに、電動ハンドツール、電動ハンドツールと共に使用する多数のアダプターヘッド、そしてパワーヘッドと結合する多数のネイルケア付属品とを収納している。
【背景技術】
【０００２】
従来の技術には、公知の、さまざまなネイルケア工具（手動および電動）とネイルケア工具を入れるための収納ケースとを提供するためのネイルケアシステムおよびネイルケア装置がある。一般的に言えば、ネイルケア工具と工具の収納ケースとが組み入れられた従来技術の装置には、細長いハンドツールを収納するためのコンパートメントがほぼ水平に設けられているが、小型ではなく、単にネイルケア工具を収納するという以外は特に機能的でもない。さらに、従来技術での電動ハンドツールは、ネイルケア付属品を回転させるために回転駆動装置を用いる。結果として、従来技術での装置は、回転運動式のネイルケア工具を提供するだけに限定され、しかも容積が大きく場所をとる収納ケース／ハウジングを有することが多い。
【０００３】
したがって、回転運動と直線運動とを行う少なくとも１つのネイルケア工具と電動ハンドツールの収納機能に加えて他の機能とが備えられた、電動ハンドツールを有するフル機能で小型の自己完結型ネイルケアシステムを提供する必要がある。
【発明の開示】
【発明が解決しようとする課題】
【０００４】
本発明は、電動ハンドツールと付属品とを収納するベースハウジングを有し、当該ハウジングは垂直方向に直立した形にされるため設置面積は最小限となる、というネイルケアシステムを提供することを目的とする。
本発明はさらに、ハンドツールにより電力を供給される少なくとも１つの回転運動ヘッドと直線運動式アダプターヘッドとを有するネイルケアシステムを提供することを目的とする。
【０００５】
本発明はさらに、取り外し可能なマニキュアボウルがハウジングのキャビティに組み入れられたネイルケアシステムを提供することを目的とする。
本発明はさらに、ドライヤーがベースハウジングのキャビティに設けられている、というネイルケアシステムを提供することを目的とする。
本発明はさらに、ハンドツールの作業環境を明るくするための光源がハンドツールの中または上に設けられている、というネイルケアシステムを提供することを目的とする。
【発明を実施するための最良の形態】
【０００６】
本発明の上記および他の目的、効果、そして利益に関しては、以下の詳細な説明および添付の図面シートを参照すれば理解できるだろう。
図面、特に図１乃至５を参照する。図は、参照番号１０で全体が示されるネイルケアシステムを示す。ネイルケアシステム１０は、ベース（基部）および／あるいはハウジング１５を有する。図示するように、ベースハウジング１５は、好ましい構成として直立して縦に伸びた形を有する。すなわち、ベースハウジング１５は、好ましい構成として幅よりも高さのほうが大きい。それによって、ベースハウジング１５のサイズ、そして、その結果としてネイルケアシステム１０のサイズも小さくなる。
【０００７】
ベースハウジング１５は、その中にコンパートメントまたはキャビティ６５を規定している。好ましい構成として（必須ではないが）、半透明またはつや消しの蓋２０を、ヒンジ留めによって接続した形で設け、ネイルケアシステム１０の少なくとも上部を包んで外界から保護する手段を提供してある。
本発明の１つの側面においては、マニキュアに関連するさまざまな処理を行う一方で支持面を提供するマニキュアボウル６０が、ベースハウジング１５の中に収納され、同ハウジングによってほぼ隠された状態となっている。マニキュアボウル６０は、前面壁６２と直立した側面壁６４とを有し、これらは底面６３と協働して流体を中に保持することが可能な内部空間を規定している。好ましい構成として、前面壁６２は、少なくとも部分的に半透明であり、そのため、マニキュアボウル６０をベースハウジング１５から取り外さなくても、流体がマニキュアボウル６０に貯蔵されているかどうかを目で見て判断することが可能である。好ましい構成として、底面６３は、手の支持面を提供し、その上に置かれた手の指を無理なく支えたり引き離したりするよう輪郭付けられている。このように、マニキュアボウル６０は、少なくとも二重の機能を提供する。その機能とは、（１）中に貯蔵された流体に手を沈める、および／あるいは浸すためのリキッドバス容器としての機能と（２）手とネイルとを空気乾燥させるための支持面としての機能である。
【０００８】
マニキュアボウル６０は、都合のよい形として、目立たないようにベースハウジング１５のコンパートメント６５の中に収納される。図示するように、前面壁６２は、マニキュアボウル６０をベースハウジング１５から選択的に取り外すのを容易にするための握り６６を有する形にしてもよい。
ベースハウジング１５はさらに、さまざまなネイルケア工具付属品を収納するために多数の収納コンパートメント４０を提供する。ここで図１１（A）乃至１１（G）を参照する。さまざまなネイルケア付属品には、図１１（E）に示すあま皮押しを含め、図中に示す典型的なネイルポリッシャ、シェーパー、そしてバッファが含まれる。ただし、これらに限定されるわけではない。
【０００９】
ベースハウジング１５に入れられ収納されるネイルケア付属品の具体的な数はさまざまに変更することができる。たとえば、ベースハウジング１５は、７個、１０個、１２個またはそれ以上のネイルケア付属品を容易に収納できるであろう。
また、ベースハウジング１５は電動ハンドツール２５の収納場所を提供する。ハンドツール２５には、住宅用または商用のAC電源コンセントなどの外部電源から電気の供給を受けることができる。ネイルケアシステム１０をACアダプターコンセントに接続するためのACアダプターコード（図示せず）は、都合のよい形として、不使用の際および／あるいは持ち運びの間はコード収納コンパートメント８０の中に収納することができる。ACアダプターコードは、電源ジャック８５を介してネイルケアシステム１０に接続される。好ましい構成として、ネイルケアシステム１０は、世界中で見られる全ての地域別の電源標準（電圧および周波数）に対応するための回路を有する。
【００１０】
図６（A）および６（B）を参照する。留意すべきこととして、好ましい実施の形態において、ハンドツール２５は、必須ではないが、ベースハウジング１５内部に置かれた再充電可能なバッテリ（図示せず）などの電源によって電力を供給される。この場合には、好ましい構成として、ベースハウジング１５は、たとえば本明細書で後述するネイルドライヤーに電力を供給するためのバッテリを受け入れるバッテリコンパートメント２８を有する。ハンドツール２５はさらに、ハンドツール２５に電力を供給するためのバッテリを受け入れるバッテリコンパートメントも有することが可能である。
【００１１】
電力は、図１に示す絶縁コイルコード５０などの電気接続によってハンドツール２５に送ることができる。コイルコード５０を使用すれば、電源からパワージャック８５とベースハウジング１５とを介してハンドツール２５への電気接続が実現されるため、電源や変換器などの関連回路をハンドツール２５に入れておく必要はなくなる。
本発明の１つの側面では、ハンドツール２５とコイルコード５０との間を電気接続すれば、ハンドツール２５とベースハウジング１５との間には電力と制御信号との両方の点で接続を実現できる。制御信号の通信は、ハンドツール２５とベースハウジング１５との間に置いたトランシーバを利用し、赤外線や高周波などのワイヤレス通信プロトコルを介してハンドツール２５とベースハウジング１５との間を通信する形にすればよい。
【００１２】
本発明の１つの側面では、ハンドツール２５は、電源からの電気信号を機械力に変換する。機械力は、本発明の複数のアダプターヘッドのうち１つに供給される。好ましい構成として、アダプターヘッドには、少なくとも１つの回転運動アダプターヘッド３０（図７（A）および７（B））と直線運動アダプターヘッド３５（図８（A）および図８（B））とが含まれる。
【００１３】
図１、図２、そして図９を参照する。回転運動アダプターヘッド３０がハンドツール２５に接続された形で図示されている。図１および図２には、直線運動アダプターヘッドがベースハウジング１５のアダプターヘッド収納コンパートメントに収納された形で図示されている。一方、図１０には、直線運動アダプターヘッド３５がハンドツール２５に取り付けられた形で図示されている。
【００１４】
回転運動アダプターヘッド３０は、ハンドツール２５に接続されている場合、ヘッドに取り付けられたネイルケア付属品（たとえばバッファ３４）を回転運動させる。図１１（A）および１１（D）は、ネイルの形を整えたりやすりかけしたりするための典型的な回転式グラインダを示す。図１１（B）および図１１（C）は、ネイルを磨いたり艶出したりするための典型的な回転式バッファを示す。運動矢印３２は、回転運動アダプターヘッド３０によってネイルケア付属品に与えられる典型的な回転運動を示す。
【００１５】
直線運動アダプターヘッド３５は、ハンドツール２５に接続されている場合、ヘッドに取り付けられたネイルケア付属品（たとえばポリッシャ）を線形運動させる。図１１（F）および図１１（G）は、ネイルを磨いたり艶出ししたりするための典型的な直線運動バッファを示す。図１１（E）は、ネイルのキューティクルを処理するための典型的なあま皮押しを示す。運動矢印３７は線形ヘッド３５によって与えられる典型的な線形運動（たとえば振動）を示す。
【００１６】
さらに、本発明の別の側面では、ネイルドライヤーが設けられている。好ましい構成として、本発明のネイルドライヤー機能は、ベースハウジング１５内部のファン（図示せず）の動作によって実現される。このファンは、好ましくは熱気をベースハウジングキャビティ６５の内部に置かれたユーザのネイルに向けて分散させるものである。ネイルドライヤーには、コンパートメント６５の開口部からアクセスできる。すなわち、マニキュアボウル６０を取り外してから、ユーザの手をコンパートメント６５の内部に置けば、ネイルはその内部で循環する熱気に選択的にさらされることになる。好ましい構成として、ネイルドライヤー機能の実行は、ベースハウジング１５の中または上にあるネイルドライヤーセレクター７５を介して制御される。ハンドドライヤーの加熱面については、放射放熱器の形で設けてもよい。さらに、ヒーターには、赤外線ヒーターまたは他の種類の温熱療法手段（たとえばこれに限定されるわけではないが温石など）が含まれることにしてもよい。
【００１７】
好ましい構成として、ベースハウジング１５は、UV（紫外線）光線セレクター７０を有する。UV光線セレクター７０は、UV光源（図示せず）の動作制御を提供し、当該光源は好ましい構成としてベースハウジング１５に位置づけられている。UV光源には、コンパートメント６５の開口部からアクセスすることができる。このようになっているので、ユーザの手をコンパートメント６５の内部に置けば、UV光線治療の治療効果にこの手を選択的にさらすことができる。
【００１８】
好ましい構成として、ハンドツール２５は、当該ハンドツール２５上に位置づけられた光源３１の動作を制御するための光スイッチ２９を有する。光源３１は、白熱電球、LED、または他の適当な光源であればどんなものでもよい。光源３１は、光スイッチ２９によって選択的に制御され、ハンドツール２５によって処理されている手または足と作業環境の範囲とを明るくする。
【００１９】
本発明の１つの側面では、好ましい構成として、回転運動アダプター３０と直線運動アダプター３５とが動作する速度は変化させることができ、選択的に調整が可能である。それに従い、回転運動アダプター３０が自身に結合された付属品を回転させる速度と直線運動アダプター３５が直線的に振動する速度とを選択的に制御するため、可変速度ダイアル操作部２７がハンドツール２５に設けられている。好ましい構成として、速度は、たとえば１０段階など一連の区別されたステップで、または無段変速の形で変化させることができる。
【００２０】
好ましい構成として、コンパートメント６５の内部または上方に位置づけられているのはドライヤーファンである。ファンの上方にはヒーターが、ヒーターの上方にはネイルケア付属品収納コンパートメントが位置づけられている。このように、ネイルケア付属品、収納コンパートメント、ヒーター、ファン、そしてコンパートメント６５という形で垂直方向に配列されているので、ネイルケアシステム１０を場所をとらない設計とすることができる。
【００２１】
本発明の別の側面では、ベースハウジング１５は、実質的に細長い形をしたハンドツール２５を図１に示すように縦になった（すなわち直立した）状態で収納している。図２では、ハンドツール２５はベースハウジング１５によって水平位置ではなく斜めに支持されている。この縦方向および斜めの収納位置のため、ベースハウジング１５には、ハンドツール２５、さまざまな（たとえば１２個の）ネイルケア付属品、コイルコード５０、複数のアダプターヘッド３０、３５、マニキュアボウル６０、そしてAC電源コードのための収納コンパートメントを極めてコンパクトな内蔵型のネイルケアシステムの中に設けることができる。ベースハウジング１５が垂直の形であるという側面により、本ネイルケアシステムのこうした効率的で場所をとらないという側面が実現される。
【００２２】
上記の機能と制御とは、本発明の典型的なネイルケアシステムであって、他のネイルケアシステムの機能と制御とを含めること、除くこと、そして組み合わることの可能性を排除するものではない。
また、当業者であれば、本明細書の内容による特定のネイルケアシステムの機能と他の側面とは、本発明の例にすぎないことが理解できるだろう。したがって、これらの例は本発明が適切に実施される範囲またはさまざまな用途を限定しない。理解すべき点として、前述の説明は、本明細書の内容による本実施の実例にすぎない。当業者であれば、本発明を逸脱しない形で、さまざまな代案および変更を考えることが可能であろう。したがって、本発明はそのような代案、変更、そして変形例をすべて含有する。
【図面の簡単な説明】
【００２３】
【図１】ハンドツールを収納するためのベースハウジング、ハンドツールと共に使用する少なくとも１つの回転運動アダプターヘッドおよび１つの直線運動アダプターヘッド、多数のネイルケア付属品、そしてマニキュアボウルを有するネイルケアシステムの斜視図である。
【図２】ハンドツールを収納するベースハウジング、ハンドツールと共に使用する少なくとも１つの回転運動アダプターヘッドおよび１つの直線運動アダプターヘッド、多数のネイルケア付属品、そしてマニキュアボウルを有する、本発明によるネイルケアシステムの平面図である。
【図３】図２のネイルケアシステムの正面図である。
【図４】図２のネイルケアシステムの背面図である。
【図５】図２のネイルケアシステムを、蓋が開放位置にある状態で示す側面図である。
【図６】（A）図１および２のハンドツールの正面図である。  （B）とりわけバッテリー・コンパートメントドア（格納扉）を有する図１および２の電動ハンドツールを示す正面図である。
【図７】（A）図１および２のハンドツールのための直線運動アダプターヘッドの正面図である。  （B）図１および２のハンドツールのための直線運動アダプターヘッドの側面図である。
【図８】（A）図１および２のハンドツールと結合する回転運動ヘッドの側面図である。  （B）図１および２のハンドツールと結合する回転運動アダプターヘッドの底面図である。
【図９】図８（A）および図８（B）の回転運動アダプターヘッドと結合された図１および２の電動ハンドツールを示す図である。
【図１０】図７（A）および図７（B）の直線運動アダプターヘッドと結合された図１および２の電動ハンドツールを示す図である。
【図１１】（A）図１および２の回転運動アダプターヘッドおよびハンドツールと結合するためのネイルケア付属品を示す図である。  （B）図１および２の回転運動アダプターヘッドおよびハンドツールと結合するためのネイルケア付属品を示す図である。  （C）図１および２の回転運動アダプターヘッドおよびハンドツールと結合するためのネイルケア付属品を示す図である。  （D）図１および２の回転運動アダプターヘッドおよびハンドツールと結合するためのネイルケア付属品を示す図である。  （E）図１および２の直線運動アダプターヘッドおよびハンドツールに結合するためのネイルケア工具を示す図である。  （F）図１および２の直線運動アダプターヘッドおよびハンドツールに結合するためのネイルケア工具を示す図である。  （G）図１および２の直線運動アダプターヘッドおよびハンドツールに結合するためのネイルケア工具を示す図である。
【図１】
2006504449.tif 000003
【図２】
2006504449.tif 000004
【図３】
2006504449.tif 000005
【図４】
2006504449.tif 000006
【図５】
2006504449.tif 000007
【図６】
2006504449.tif 000008
【図７】
2006504449.tif 000009
【図８】
2006504449.tif 000010
【図９】
2006504449.tif 000011
【図１０】
2006504449.tif 000012
【図１１】
2006504449.tif 000013
【国際調査報告】
2006504449.tif 000014